(57)【要約】【課題】装飾部の交換が可能、且つ、自由に移動、係止可能として、該装飾部の位置が自由に変えられることにより、趣味性に富んだ装飾的変化が得られるペンダントを提供することを目的とした。【解決手段】棒状片１と該棒状片１を挿通させた１個乃至複数個の装飾部５とからなり、棒状片１は、上端側面の長手方向に直交するチェーンを通す貫通孔２を有し、下端に抜け防止部３を備えて形成、装飾部５は、枠体６と中子９と弾性体１４と宝石１５にて構成し、枠体６は、正面に宝石１５を嵌め込む開口部７と背面に中子９を挿入する孔８を設けて形成、中子９は、板１０の略中央位置片面に垂直に柱１１を設けた形状にて、柱１１の長手方向下部に直交する棒状片１を挿入する挿入孔１２を設けて形成、該柱１１に弾性体１４を配し枠体６の開口部７から中子９の柱１１を孔８に挿入し、柱１１の下部に設けた挿入孔１２に棒状片１を上端より挿入してなるペンダント。【選択図】図１
2005319054.tif 000002
【特許請求の範囲】
【請求項１】
棒状片と該棒状片を挿通させた１個乃至複数個の装飾部とからなり、該装飾部内に弾性体を配し、該弾性体の反発力にて前記装飾部が棒状片上を摺動して位置が自由に変えられるペンダントであって、前記棒状片１は、上端側面の長手方向に直交するチェーン４を通す貫通孔２を有し、下端に抜け防止部３を備えて形成、前記装飾部５は、枠体６と中子９と弾性体１４と宝石１５にて構成し、枠体６は、正面に宝石１５を嵌め込む開口部７と背面に中子９を挿入する孔８を設けて形成、中子９は、板１０の略中央位置片面に垂直に柱１１を設けた形状にて該柱１１の長手方向下部に直交する棒状片１を挿入する挿入孔１２を設けて形成、該柱１１に弾性体１４を配して、枠体６の開口部７から中子９の柱１１を孔８に挿入し、柱１１の下部に設けた挿入孔１２に前記棒状片１を上端より挿入してなることを特徴としたペンダント。
【請求項２】
棒状片１と該棒状片１を挿通させた１個乃至複数個の装飾部５とからなり、該装飾部５内に弾性体１４を配し、該弾性体１４の反発力にて前記装飾部５が棒状片１上を摺動可能としたペンダント２０を複数個、チェーン４に通したことを特徴とした請求項１記載のペンダント。
【請求項３】
前記装飾部５を取り換え可能とした請求項１乃至請求項２記載のペンダント。
【発明の詳細な説明】
【技術分野】
【０００１】
本発明は、装飾部が摺動可能としたペンダントに関するものである。
【背景技術】
【０００２】
従来、多くのペンダントはバチカン部と装飾部によって構成され、該ペンダントに装飾効果を得る手段として宝石を配し、バチカン部にネックレスチェーン等を挿通することによって、身体の首下から胸前面を装飾する機能を果たしていた。
【０００３】
しかしながら、前記ペンダントでは、身体の首下から胸前面略中央部位において装飾効果を発揮するだけであって、趣味性に富んだ装飾的変化を得ることはできなかった。
【０００４】
前記装飾的変化を得る解決方法として、図８に示す一端に宝石３５を取り付け、他端にピン穴を有した連結部３１を設けた一組の長尺片３３と短尺片３４が連結ピン３２を挿通して連結部３１で連結し、枢動可能に軸支して形状の装飾的変化を得ることができるペンダントがある。（例えば特許文献１参照。）。
【０００５】
しかし、前記枢動可能なペンダントの装飾的変化は連結ピン３２を軸支として長尺片３３と短尺片３４の限られた変化で有るために使用者の選択範囲が少なく、趣味性に富んだ装飾的変化を得るには物足りなさが残るもので有った。
【特許文献１】特開２０００−３４２３１０号公報
【発明の開示】
【発明が解決しようとする課題】
【０００６】
解決しようとする問題点は、ペンダント２０の装飾部５の交換が可能、且つ、使用者が自由に移動、係止可能として、装飾部５の位置が自由に変えられることにより、趣味性に富んだ装飾的変化が得られるペンダント２０を提供することを目的とした。
【課題を解決するための手段】
【０００７】
本発明のペンダント２０は、棒状片１と該棒状片１を挿通させた１個乃至複数個の装飾部５とからなり、棒状片１は、上端側面の長手方向に直交するチェーン４を通す貫通孔２を有し、下端に抜け防止部３を備えて形成、装飾部５は、枠体６と中子９と弾性体１４と宝石１５にて構成し、枠体６は、正面に宝石１５を嵌め込む開口部７と背面に中子９を挿入する孔８を設けて形成、中子９は、板１０の略中央位置片面に垂直に柱１１を設けた形状にて、該柱１１の長手方向下部に直交する棒状片１を挿入する挿入孔１２を設けて形成、該柱１１に弾性体１４を配して前記枠体６の開口部７から前記中子９の柱１１を孔８に挿入した後、枠体６の開口部７に宝石１５を配して装飾部５を形成、宝石１５を配することにより、枠体６から中子９が抜け出ること無く、そして、装飾部５の背面から出ている柱１１の下部に設けた挿入孔１２に棒状片１を上端より挿入することにより、弾性体１４の反発力にて装飾部５が棒状片１上を摺動可能にて位置が自由に変えられる。
【０００８】
また、本発明のペンダント２０は複数個用いることが可能であり、且つ、装飾部５は交換可能とした。
【発明の効果】
【０００９】
上記構成により、本発明のペンダント２０は、組み立てが容易であり、そして、装飾部５が棒状片１上を摺動可能な機構にて位置が自由に変えられることにより、その場その場の雰囲気に合せ、装着した状態で素早く簡単に装飾部５の位置移動にて装飾的変化が得られ、価値を感じる事が出来るペンダント２０となった。
【００１０】
更に前記ペンダント２０を複数個用いることにより、各々のペンダント２０の装飾部５の位置の組み合わせにより、装飾性、趣味性に富んだペンダント２０としての提供が可能となった。
【発明を実施するための最良の形態】
【００１１】
組み立てが容易であり、装飾的変化を得られる目的が部品数を多くすることなく、美観を損なわず実現した。
【実施例１】
【００１２】
図１は、本発明のペンダント２０の一実施例を示す斜視図であり、図２は装飾部５を１個用いたペンダント２０を構成する各部品の概念図である。また、図３は前記ペンダント２０に宝石を嵌め込む前の形成を示す正面図で有り、図４は図３の右側面図、図５は図３に宝石を嵌め込んだ状態を示す右側面図、図６は図５Ａ−Ａ線断面図、図７は請求項２に係わる形態の実施例を示す概念図である。
【００１３】
以下本発明の実施例を図面に基づいて説明する。本発明のペンダント２０は、貴金属である銀合金、金合金、白金合金からなり、図１は、それを成型加工、ロストワックス鋳造したものに実施例として弾性体１４にはコイルスプリングを用いて棒状片１を装飾部５、５ａに挿通してペンダント２０を形成したことを示す。
【００１４】
図２に示すペンダント２０の構成は、（Ａ）棒状片１と、（Ｂ）枠体６と、（Ｃ）中子９と、（Ｄ）弾性体１４であるコイルスプリングと、（Ｅ）宝石１５の部品から構成され、（Ａ）の棒状片１は、成型加工にて上端側面の長手方向に直交するチェーンを通す貫通孔２を設け、下端に抜け防止部３を備えて形成、抜け防止部３には宝石を嵌め込むことが可能とした形状とした。
【００１５】
（Ｂ）の枠体６は、ロストワックス鋳造にて正面に宝石１５を嵌め込む開口部７と背面に中子９を挿入する孔８を設けて形成、枠体の形状はハート形等の形状に変えられるようにしたことで趣味性を向上させた。
【００１６】
（Ｃ）中子９は、ロストワックス鋳造にて板１０の略中央位置片面に垂直に柱１１を設けた形状にて、柱１１の長手方向下部に直交する棒状片１を挿入する挿入孔１２を設けて形成した。実施例としてブリリアントカットの宝石を用いるために宝石のキューレットが中子９の板１０に当たらないように柱１１を設けた反対側の面に宝石逃がし孔１３を設けた。宝石逃がし孔１３に関しては原型に予め設けても良いが宝石を嵌め込む際に設けても良い。また、板１０は枠体６の形状により該形状に変更するのが最良である。
【００１７】
（Ｄ）弾性体１４は、今回の実施例にはコストの安いコイルスプリングを用い、該コイルスプリングの反発力にて装飾部５が棒状片１を挟み込む方向に付勢する力にて棒状片１上を摺動させて位置が自由に変えられる。また、本発明によれば、弾性体１４に関しては、反発力が得られるゴム管、シリコン管、０リングを用いても良い。
【００１８】
（Ｅ）宝石１５は、今回の実施例にはブリリアントカットの宝石を用いたが、特定するものではなく、カボーションカット等の宝石を用いても良い。
【００１９】
図３、図４は、図２に示す（Ａ）〜（Ｄ）の部品を組み合わせ、  図５、図６は宝石１５を嵌め込んだペンダント２０を構成したことを示し、図６を用いて組み込み手順を説明する。中子９の柱１１に弾性体１４であるコイルスプリングを配して、枠体６の開口部７から中子９の柱１１を孔８に挿入した後、枠体６の開口部７に宝石１５を配して装飾部５を形成、宝石１５を配することにより、枠体６から中子９が抜け出ることはない。そして、装飾部５の背面から出ている柱１１の下部に設けた挿入孔１２に棒状片１を貫通孔２が設けてある上端より挿入することにより、弾性体１４であるコイルスプリングの反発力にて装飾部５が棒状片１を挟み込む方向に付勢する力にて棒状片１上を摺動させて位置が自由に変えられるペンダント２０を構成させた。
【００２０】
図７は、本発明の請求項２に係わる実施形態を示し、（ａ）大きさの異なる装飾部５、装飾部５ａの配列を有するペンダント２０と、前記ペンダント２０の装飾部の配列を逆にした装飾部５ａ、装飾部５とした２列仕様のペンダントを示す。
【００２１】
（ｂ）は、同じ大きさの装飾部５ｂを２個用いたペンダント２０を２個と、ハート形装飾部５ｃを用いたペンダント２０を用い、ハート形装飾部５ｃを有するペンダント２０を真ん中にした３列仕様のペンダントを示す
【００２２】
（ｃ）は、弓状の棒状片１ａに装飾部５ｄを用いたペンダント２０と、弓状の棒状片１ａを対称形状とした弓状の棒状片１ｂに装飾部５ｄを用いた２列仕様のペンダントを示す。
【００２３】
本発明は、上記実施例から判るようにチェーン４を取り外すことにより装飾部の交換も可能で有り、その日の雰囲気によって組み合わせができる装飾的変化の有る趣味性に富んだペンダントを提供することが可能となった。また、本発明によれば、装飾部５のみを使用して、装飾部５の背面から出ている柱１１の下部に設けた挿入孔１２に直接チェーン４を通して、該チェーン４の一端を装飾部５に接続することにより、チェーン４上を摺動させて輪径の大きさが変えられるペンダントとして装飾部５が使用できる。
【図面の簡単な説明】
【００２４】
【図１】本発明のペンダントの一実施例を示す斜視図である。
【図２】本発明のペンダントを構成する各部品を示す概念図である。
【図３】本発明のペンダントの宝石を配する前の一実施例を示す正面図である。
【図４】図３の右側面図である。
【図５】図４に宝石を配した右側面図である。
【図６】図５Ａ−Ａの線断面図である。
【図７】請求項２係わる一実施例を示す概念図である。
【図８】従来のペンダントの一実施例を示す正面図である。
【符号の説明】
【００２５】
１    棒状片  
１ａ  弓状の棒状片
１ｂ  弓状の棒状片
２    貫通孔
３    抜け防止部
４    チェーン
５    装飾部
５ａ  装飾部
５ｂ  装飾部
５ｃ  ハート形装飾部
５ｄ  装飾部
６    枠体
７    開口部
８    孔
９    中子
１０    板
１１    柱
１２    挿入孔
１３    宝石逃がし孔
１４    弾性体
１５    宝石
２０    ペンダント
３０    チェーン
３１    連結部
３２    連結ピン
３３    長尺片
３４    短尺片
３５    宝石
【図１】
2005319054.tif 000003
【図２】
2005319054.tif 000004
【図３】
2005319054.tif 000005
【図４】
2005319054.tif 000006
【図５】
2005319054.tif 000007
【図６】
2005319054.tif 000008
【図７】
2005319054.tif 000009
【図８】
2005319054.tif 000010